(57)【特許請求の範囲】
【請求項１】
発電部の発電量に基づく電力供給量および系統電力から供給される電力の消費量を示す電力消費量を取得する制御部と、
前記発電部に対応する第１のマークと、蓄電部に対応する第２のマークと、前記系統電力に対応する第３のマークと、前記電力供給量を示す第４のマークと、前記電力消費量を示す第５のマークとを表示部に表示する表示制御部と
を有し、
前記表示制御部は、
前記電力供給量に応じて、前記第１のマークと前記第２のマークとの間の経路上の表示を変化させ、
前記電力消費量に応じて、前記第２のマークと前記第３のマークとの間の経路上の表示を変化させ、
前記第４のマークおよび前記第５のマークを時間軸の上下にそれぞれ区別可能に表示し、前記第４のマークおよび前記第５のマークが、時間の経過にともなって前記時間軸上を移動するように表示する
表示制御装置。
【請求項２】
前記経路上の表示は、前記第１のマークから前記第２のマークに向かうように移動する表示単位を含み、
前記表示制御部は、前記電力供給量が大きくなるにつれて、前記表示単位の移動速度が大きくなるように表示する請求項１に記載の表示制御装置。
【請求項３】
前記表示制御部は、
複数の発電部のそれぞれに対応する複数の第１のマークを表示し、
それぞれの前記第１のマークから前記第２のマークに向かうように移動する表示単位を区別可能に表示する請求項２に記載の表示制御装置。
【請求項４】
前記表示制御部は、前記表示単位の色および形状のうち、少なくとも一方を変更することにより、前記表示単位を区別可能に表示する請求項３に記載の表示制御装置。
【請求項５】
前記経路上の表示は、前記第１のマークから延在し、幅を有する表示を含み、
前記表示制御部は、前記電力供給量が大きくなるにつれて、前記表示の幅が大きくなるように表示する請求項１乃至４のいずれかに記載の表示制御装置。
【請求項６】
前記表示制御部は、前記電力供給量に応じて前記第１のマークの表示態様を変化させる請求項１乃至５のいずれかに記載の表示制御装置。
【請求項７】
前記表示制御部は、所定期間における前記電力供給量を積算した情報を示す第６のマークと、該所定期間における前記電力消費量を積算した情報を示す第７のマークとを、前記時間軸の端部付近に表示する請求項１乃至６のいずれかに記載の表示制御装置。
【請求項８】
前記表示制御部は、
前記時間軸上を移動する前記第４のマークが前記第６のマークに吸収されるように表示し、
前記時間軸上を移動する前記第５のマークが前記第７のマークに吸収されるように表示する請求項７に記載の表示制御装置。
【請求項９】
前記表示制御部は、
前記第１のマークから前記時間軸の端部付近に向けてビーム状の表示を行うことにより前記第４のマークを形成し、
前記第３のマークから前記時間軸の端部付近に向けてビーム状の表示を行うことにより前記第５のマークを形成する請求項１乃至８のいずれかに記載の表示制御装置。
【請求項１０】
前記表示制御部は、
負荷に対応する第８のマークを表示し、
該負荷の消費電力に応じて、前記第２のマークと前記第８のマークとの間の経路上の表示を変化させる請求項１乃至９のいずれかに記載の表示制御装置。
【請求項１１】
制御部が、発電部の発電量に基づく電力供給量および系統電力から供給される電力の消費量を示す電力消費量を取得し、
表示制御部が、前記発電部に対応する第１のマークと、蓄電部に対応する第２のマークと、前記系統電力に対応する第３のマークと、前記電力供給量を示す第４のマークと、前記電力消費量を示す第５のマークとを表示部に表示し、
前記表示制御部が、
前記電力供給量に応じて、前記第１のマークと前記第２のマークとの間の経路上の表示を変化させ、
前記電力消費量に応じて、前記第２のマークと前記第３のマークとの間の経路上の表示を変化させ、
前記第４のマークおよび前記第５のマークを、時間軸の上下にそれぞれ表示し、前記第４のマークおよび前記第５のマークが、時間の経過にともなって前記時間軸上を移動するように表示する
表示制御装置における表示制御方法。
【請求項１２】
制御部が、発電部の発電量に基づく電力供給量および系統電力から供給される電力の消費量を示す電力消費量を取得し、
表示制御部が、前記発電部に対応する第１のマークと、蓄電部に対応する第２のマークと、前記系統電力に対応する第３のマークと、前記電力供給量を示す第４のマークと、前記電力消費量を示す第５のマークとを表示部に表示し、
前記表示制御部が、
前記電力供給量に応じて、前記第１のマークと前記第２のマークとの間の経路上の表示を変化させ、
前記電力消費量に応じて、前記第２のマークと前記第３のマークとの間の経路上の表示を変化させ、
前記第４のマークおよび前記第５のマークを、時間軸の上下にそれぞれ表示し、前記第４のマークおよび前記第５のマークが、時間の経過にともなって前記時間軸上を移動するように表示する
表示制御装置における表示制御方法を、コンピュータに実行させる表示制御プログラム。
【請求項１３】
請求項１乃至１０のいずれかに記載の表示制御装置を有する携帯端末。
【発明の詳細な説明】
【技術分野】
【０００１】
本開示は、表示制御装置、表示制御方法、表示制御プログラムおよび携帯端末に関する。
【背景技術】
【０００２】
再生可能なエネルギーを利用して発電された電力量を「見える化」する提案がなされている。例えば、下記特許文献１には、花を模した表示を行い、再生可能なエネルギーを利用して発電される電力量に応じて、発光する花の個数を変更する技術が記載されている。
【先行技術文献】
【特許文献】
【０００３】
【特許文献１】特開２０１１−１６０６０６号公報
【発明の概要】
【発明が解決しようとする課題】
【０００４】
特許文献１に記載の表示では、発電される電力量に応じて発光する花の個数が変更される、という表示上の取り決めを利用者が予め認識する必要がある。表示上の取り決めを知らない利用者にとっては、発光する花の個数が変化するだけの、無意味な表示となってしまう問題があった。
【０００５】
したがって、本開示の目的の一つは、従来の表示態様とは異なる表示態様により、電力の流れなどを「見える化」する表示制御装置、表示制御方法、表示制御プログラムおよび携帯端末を提供することにある。
【課題を解決するための手段】
【０００６】
上述した課題を解決するために、本開示は、例えば、
発電部の発電量に基づく電力供給量および系統電力から供給される電力の消費量を示す電力消費量を取得する制御部と、
発電部に対応する第１のマークと、蓄電部に対応する第２のマークと、系統電力に対応する第３のマークと、電力供給量を示す第４のマークと、電力消費量を示す第５のマークとを表示部に表示する表示制御部と
を有し、
表示制御部は、
電力供給量に応じて、第１のマークと第２のマークとの間の経路上の表示を変化させ、
電力消費量に応じて、第２のマークと第３のマークとの間の経路上の表示を変化させ、
第４のマークおよび第５のマークを時間軸の上下にそれぞれ区別可能に表示し、第４のマークおよび第５のマークが、時間の経過にともなって時間軸上を移動するように表示する
表示制御装置である。
【０００７】
本開示は、例えば、
制御部が、発電部の発電量に基づく電力供給量および系統電力から供給される電力の消費量を示す電力消費量を取得し、
表示制御部が、前記発電部に対応する第１のマークと、蓄電部に対応する第２のマークと、前記系統電力に対応する第３のマークと、前記電力供給量を示す第４のマークと、前記電力消費量を示す第５のマークとを表示部に表示し、
前記表示制御部が、
前記電力供給量に応じて、前記第１のマークと前記第２のマークとの間の経路上の表示を変化させ、
前記電力消費量に応じて、前記第２のマークと前記第３のマークとの間の経路上の表示を変化させ、
前記第４のマークおよび前記第５のマークを、時間軸の上下にそれぞれ表示し、前記第４のマークおよび前記第５のマークが、時間の経過にともなって前記時間軸上を移動するように表示する
表示制御装置における表示制御方法である。
【０００８】
本開示は、例えば、
制御部が、発電部の発電量に基づく電力供給量および系統電力から供給される電力の消費量を示す電力消費量を取得し、
表示制御部が、前記発電部に対応する第１のマークと、蓄電部に対応する第２のマークと、前記系統電力に対応する第３のマークと、前記電力供給量を示す第４のマークと、前記電力消費量を示す第５のマークとを表示部に表示し、
前記表示制御部が、
前記電力供給量に応じて、前記第１のマークと前記第２のマークとの間の経路上の表示を変化させ、
前記電力消費量に応じて、前記第２のマークと前記第３のマークとの間の経路上の表示を変化させ、
前記第４のマークおよび前記第５のマークを、時間軸の上下にそれぞれ表示し、前記第４のマークおよび前記第５のマークが、時間の経過にともなって前記時間軸上を移動するように表示する
表示制御装置における表示制御方法を、コンピュータに実行させる表示制御プログラムである。
【０００９】
本開示は、例えば
本開示における表示制御装置を有する携帯端末である。
【発明の効果】
【００１０】
少なくとも一つの実施形態によれば、従来の表示態様とは異なる表示態様により、電力の流れなどを「見える化」できる。
【図面の簡単な説明】
【００１１】
【図１】システム１の構成の一例を示す図である。
【図２】表示１２０の一例を説明するための図である。
【図３】表示１２０の変化等を説明するための図である。
【図４】表示１２０における表示態様の一例を説明するための図である。
【図５】表示１２０における表示態様の一例を説明するための図である。
【図６】表示１２０における表示態様の一例を説明するための図である。
【図７】表示１２１の一例を説明するための図である。
【図８】表示１２１における変化を説明するための図である。
【図９】携帯端末３００の構成の一例を説明するための図である。
【図１０】表示１２３の一例を説明するための図である。
【図１１】表示１２０の変形例を説明するための図である。
【図１２】表示１２０の変形例を説明するための図である。
【図１３】表示１２０の変形例を説明するための図である。
【図１４】表示１２０の変形例を説明するための図である。
【図１５】表示１２０の変形例を説明するための図である。
【発明を実施するための形態】
【００１２】
以下、本開示の実施形態について図面を参照しながら説明する。なお、説明は、以下の順序で行う。
＜１．第１の実施形態＞
＜２．第２の実施形態＞
＜３．第３の実施形態＞
＜４．変形例＞
なお、以下に説明する実施形態等は本開示の好適な具体例であり、本開示の内容がこれらの実施形態等に限定されるものではない。
【００１３】
＜１．第１の実施形態＞
「システムの構成」
図１は、本開示の第１の実施形態におけるシステムの構成の一例を示す。なお、後述する第２および第３の実施形態におけるシステムの構成は、図１に例示するシステム１の構成と同様の構成とされる。図１における実線の矢印は、電力の流れを示し、破線の矢印は、データやコントロール信号の流れを示す。
【００１４】
システム１は、少なくとも表示制御装置１００を有する。表示制御装置１００は、家庭内や、会社、研究所、大学、駅などに設置される。
【００１５】
表示制御装置１００は、周囲に存在するエネルギーを利用して発電する発電部と接続される。図１では、発電部として、太陽光を使用して発電する太陽光発電装置２０１と、風力を使用して発電する風力発電装置２０２とが例示される。太陽光が照射される太陽光パネルにより太陽光発電装置２０１を模式的に示されている。もちろん、太陽光発電装置２０１は、太陽光パネルのほかに、パワーコンディショナーなどの公知の構成を含む。風力により回転する風車により、風力発電装置２０２が模式的に示されている。もちろん、風力発電装置２０２は、風車のほかに、モータなどの公知の構成を含む。
【００１６】
太陽光発電の方式は、材料（シリコン太陽電池や化合物太陽電池など）による分類や、構造（バルク系や薄膜系など）による分類が可能であるが、太陽光発電装置２０１は、特定の材料や構造に限定されることはない。風力発電の方式は、風車（ブレード）の形状による分類や運転制御の方式による分類が可能であるが、風力発電装置２０２は、それらのうち特定の風車の形状や運転制御の方式に限定されることはない。
【００１７】
発電部は、太陽光発電装置や風力発電装置に限定されず、バイオマスを利用してバイオマス発電装置などでもよい。さらに、発電部は、必ずしも大規模なものに限定されることなく、微小な電力を発電するものでもよい。周囲に存在するエネルギーは、太陽光（光）や風力に限定されず、熱、振動、電波、温度差、イオン濃度差などでもよい。
【００１８】
表示制御装置１００は、電力系統（適宜、グリッドと称する）２０３と接続される。図１では、送電線によりグリッド２０３が模式的に示されている。もちろん、グリッド２０３は、送電線の他に変圧器などの公知の構成を含むものである。グリッド２０３から供給される電力は、原子力発電や火力発電、水力発電などによって発電される電力である。グリッド２０３から供給される電力が負荷で消費（使用）される。
【００１９】
表示制御装置１００は、例えば、携帯端末３００と通信可能とされる。携帯端末３００は、例えば、表示制御装置１００から送信されるデータに基づく表示を行う。携帯端末３００の構成や処理などの詳細は、第３の実施形態において説明する。
【００２０】
「表示制御装置の概要」
システム１を構成する表示制御装置１００は、制御部の一例であるコントローラ１０１を有する。コントローラ１０１に対して、電力モニタリング部１０２と、電力モニタリング部１０３と、電力モニタリング部１０４とが接続される。コントローラ１０１に対して、表示制御部１０５が接続される。表示制御部１０５に対して、表示部１０６が接続される。コントローラ１０１に対して、蓄電装置１０７が接続される。
【００２１】
蓄電装置１０７は、蓄電コントローラ１０８と、１６個の蓄電ユニットである蓄電ユニット１０９ａ、蓄電ユニット１０９ｂ、蓄電ユニット１０９ｃ・・・蓄電ユニット１０９ｐを有する。蓄電ユニットの個数は、１６個に限定されず、適宜、変更できる。個々の蓄電ユニットを区別する必要がない場合は、蓄電ユニット１０９と適宜、称する。コントローラ１０１に対して、切替部１１０が接続される。切替部１１０に対して、ＡＣ(Alternating Current)／ＤＣ(Direct Current)コンバータ１１１およびＤＣ／ＡＣインバータ１１２が接続される。
【００２２】
「電力の流れの一例」
始めに、システム１における電力の流れの一例について説明する。太陽光発電装置２０１により発電される電力Ｐ１が蓄電装置１０７に供給される。蓄電コントローラ１０８が有する変換機能により、電力Ｐ１に基づく所定の電圧が生成される。所定の電圧は、蓄電ユニット１０９が対応する電圧である。生成される電圧により蓄電ユニット１０９が充電される。充電の対象となる蓄電ユニット１０９は、蓄電コントローラ１０８の制御により指示される。例えば、残容量が最も低い蓄電ユニットが、充電対象の蓄電ユニット１０９として指示される。充電回数が最も少ない蓄電ユニットが、充電対象の蓄電ユニット１０９として指示されてもよい。例えば、夜間など、電力Ｐ１が略０になる場合は、充電はされない。
【００２３】
風力発電装置２０２により発電される電力Ｐ２が蓄電装置１０７に供給される。蓄電コントローラ１０８が有する変換機能により、電力Ｐ２に基づく所定の電圧が生成される。所定の電圧は、蓄電ユニット１０９が対応する電圧である。生成される電圧により所定の蓄電ユニット１０９が充電される。充電の対象となる蓄電ユニット１０９は、蓄電コントローラ１０８の制御により指示される。例えば、残容量が最も低い蓄電ユニットが、充電対象の蓄電ユニット１０９として指示される。充電回数が最も少ない蓄電ユニットが、充電対象の蓄電ユニット１０９として指示されてもよい。なお、例えば、無風状態など、電力Ｐ２が略０になる場合は、充電はされない。
【００２４】
電力Ｐ１に基づく電圧により充電される蓄電ユニットおよび電力Ｐ２に基づく電圧により充電される蓄電ユニットは、同一の蓄電ユニットである必要はない。例えば、天候が晴天で、且つ、強風である場合は、太陽光発電装置２０１および風力発電装置２０２は、一定以上の電力を発電する。このような場合は、例えば、電力Ｐ１に基づく電圧により蓄電ユニット１０９ａが蓄電され、電力Ｐ２に基づく電圧により蓄電ユニット１０９ｂが蓄電されるようにしてもよい。これらの制御は蓄電コントローラ１０８により行われる。
【００２５】
蓄電コントローラ１０８は、蓄電装置１０７からの放電の制御を行う。例えば、各蓄電ユニット１０９の残容量を取得し、残容量の最も大きい蓄電ユニットを放電対象の蓄電ユニット１０９と決定する。放電対象の蓄電ユニット１０９から出力される直流の電力Ｐ４が切替部１１０に供給される。
【００２６】
なお、蓄電コントローラ１０８は、コントローラ１０１と双方向の通信が可能とされる。例えば、１６個の蓄電ユニット１０９の残容量の合計を示す残容量データＤ５が、蓄電コントローラ１０８からコントローラ１０１に供給される。例えば、蓄電ユニット１０９の残容量の不足や故障等に起因して蓄電装置１０７からの放電ができない状態であることを通知する通知信号Ｓ１が、蓄電コントローラ１０８からコントローラ１０１に供給される。
【００２７】
グリッド２０３から供給される交流の電力Ｐ３は、ＡＣ−ＤＣコンバータ１１１に供給される。ＡＣ−ＤＣコンバータ１１１により、電力Ｐ３が一旦、直流の電力Ｐ３´に変換される。電力Ｐ３´が切替部１１０に供給される。
【００２８】
切替部１１０により電力Ｐ３´および電力Ｐ４の一方が選択される。選択される電力がＤＣ／ＡＣインバータ１１２に供給される。切替部１１０に対する制御は、例えば、コントローラ１０１により行われる。例えば、コントローラ１０１は、負荷で消費される電力を取得し、電力Ｐ４により負荷で使用される電力を賄うことができる場合は、コントローラ１０１は、電力Ｐ４が選択されるように切替部１１０を制御する。負荷で使用される電力に対して、電力Ｐ４の供給量が不足する場合は、コントローラ１０１は、電力Ｐ３´が選択されるように切替部１１０を制御する。
【００２９】
電力Ｐ３´または電力Ｐ４がＤＣ／ＡＣインバータ１１２に供給される。ＤＣ／ＡＣインバータ１１２は、電力Ｐ３´または電力Ｐ４に基づいて、例えば、１００Ｖ（ボルト）の交流の電力Ｐ５を生成する。電力Ｐ５が例えば、コンセントに供給され、コンセントに接続される負荷に対して電力が供給される。
【００３０】
なお、所定の蓄電ユニット１０９の出力に基づいて電源電圧（例えば、５Ｖ）が生成され、電源電圧が表示制御装置１００の各部に供給されるようにしてもよい。
【００３１】
「表示制御装置の構成」
次に、表示制御装置１００の各部に関して説明する。コントローラ１０１は、例えば、ＣＰＵ(Central Processing Unit)により構成され、表示制御装置１００の各部を制御する。コントローラ１０１により実行される処理を以下に、例示する。
【００３２】
コントローラ１０１は、太陽光発電装置２０１が発電する電力Ｐ１を示すデータＤ１を、電力モニタリング部１０２から取得する。コントローラ１０１は、データＤ１に基づいて、太陽光発電装置２０１から蓄電装置１０７への電力供給量データＤ１´を取得する。電力供給量データＤ１´は、データＤ１そのものでもよく、データＤ１により示される値に対し、伝送損失を考慮した演算を施して求めるようにしてもよい。
【００３３】
コントローラ１０１は、風力発電装置２０２が発電する電力Ｐ２を示すデータＤ２を、電力モニタリング部１０３から取得する。コントローラ１０１は、データＤ２に基づいて、風力発電装置２０２から蓄電装置１０７への電力供給量データＤ２´を取得する。電力供給量データＤ２´は、データＤ２そのものでもよく、データＤ２により示される値に対し、伝送損失を考慮した演算を施して求めるようにしてもよい。
【００３４】
コントローラ１０１は、グリッド２０３から供給される電力Ｐ３を示すデータＤ３を、電力モニタリング部１０４から取得する。グリッド２０３から供給される電力Ｐ３は、蓄電されることなく負荷で使用されることから、データＤ３は、グリッド２０３から供給される電力の消費量（適宜、電力消費量と称する）を示すことになる。データＤ３に所定の演算を施して、電力消費量を求めるようにしてもよい。なお、データＤ３を電力消費量データＤ３と称することがある。
【００３５】
データＤ１、データＤ２およびデータＤ３は、例えば、周期的（例えば、５分）にコントローラ１０１に供給される。すなわち、５分ごとに略同一のタイミングで得られたデータＤ１、データＤ２およびデータＤ３が、コントローラ１０１に供給される。
【００３６】
コントローラ１０１は、蓄電コントローラ１０８と通信を行う。通信は、例えば、ＳＭＢｕｓ(System Management Bus)の仕様に準じて行われる。コントローラ１０１は、蓄電コントローラ１０８から供給される残容量データＤ５を取得する。残容量データＤ５は、例えば、データＤ１等がコントローラ１０１に供給されるタイミングと略同一のタイミングでもって、コントローラ１０１に周期的に供給される。
【００３７】
コントローラ１０１は、電力供給量データＤ１´と、電力供給量データＤ２´と、電力消費量データＤ３と、残容量データＤ５とを、表示制御部１０５に対して供給する。コントローラ１０１は、これらのデータを、例えば、時分割多重し、データＤ４として表示制御部１０５に供給する。
【００３８】
コントローラ１０１は、切替信号Ｓ７を切替部１１０に対して供給し、切替部１１０により選択される電力を切り替える。蓄電装置１０７から出力される電力Ｐ４により負荷で使用される電力を賄うことができる場合は、電力Ｐ４が選択されるように切替部１１０を制御する。蓄電コントローラ１０８から通知信号Ｓ１が供給される場合や、負荷で使用される電力を電力Ｐ４で賄うことができない場合は、コントローラ１０１は、電力Ｐ３´が選択されるように切替部１１０を制御する。
【００３９】
この他の制御がコントローラ１０１により行われてもよい。コントローラ１０１は、コントロール信号Ｓ３を太陽光発電装置２０１に供給し、例えば、太陽電池から効率よく出力を取り出すための制御であるＭＰＰＴ(Maximum Power Point Tracking)が実行されるようにしてもよい。コントローラ１０１は、コントロール信号Ｓ４を風力発電装置２０２に供給し、暴風等により風力発電装置２０２の出力が急激に変化することを防止する制御等を実行してもよい。これらの制御が、太陽光発電装置２０１や風力発電装置２０２が有する制御装置によって実行されてもよい。
【００４０】
コントローラ１０１は、例えば、通信部として機能し、携帯端末３００と無線による通信を行う。無線の方式による通信としては、例えば、赤外線を用いた通信や、短距離低消費電力型のＡＮＴ規格による通信、「Ｚ−Ｗａｖｅ（登録商標）」規格による通信、「Ｚｉｇｂｅｅ（登録商標）」規格による通信、「Ｂｌｕｅｔｏｏｔｈ（登録商標）」規格による通信、ネットワーク形成が容易な「Ｗｉ  Ｆｉ（登録商標）」による通信などを利用することができる。もちろん、例示した規格による通信に限定されるものではない。インターネットを介した通信が、コントローラ１０１と携帯端末３００との間で行われるようにしてもよい。
【００４１】
コントローラ１０１は、例えば、携帯端末３００から送信される要求信号Ｓ６に応じて、データＤ６を周期的（例えば、５分）に携帯端末３００に向けて送信する。データＤ６は、データＤ４と同様のデータであり、データＤ６は、例えば、電力供給量データＤ１´と、電力供給量データＤ２´と、電力消費量データＤ３と、残容量データＤ５とを含む。
【００４２】
表示制御装置１００の他の構成について説明する。電力モニタリング部１０２は、太陽光発電装置２０１が発電する電力Ｐ１（Ｗ（ワット））を取得する。電力モニタリング部１０２は、電力Ｐ１を示すデータＤ１をコントローラ１０１に供給する。太陽光発電装置２０１により発電される電力Ｐ１は、蓄電装置１０７に供給され、所定の蓄電ユニット１０９に蓄電される。なお、図示は省略しているが、太陽光発電装置２０１と電力モニタリング部１０２との間には、逆流防止用のダイオードが接続される。
【００４３】
電力モニタリング部１０３は、風力発電装置２０２が発電する電力Ｐ２を取得する。電力モニタリング部１０３は、電力Ｐ２を示すデータＤ２をコントローラ１０１に供給する。風力発電装置２０２により発電される電力Ｐ２は、蓄電装置１０７に供給され、所定の蓄電ユニット１０９に蓄電される。なお、図示は省略しているが、風力発電装置２０２と電力モニタリング部１０３との間には、逆流防止用のダイオードが接続される。
【００４４】
電力モニタリング部１０４は、グリッド２０３から供給される電力Ｐ３を取得する。グリッド２０３から供給される電力Ｐ３は、蓄電されることなく負荷で使用されるものであり消費電力を意味する。電力モニタリング部１０４は、データＤ３を、電力消費量データＤ３として、コントローラ１０１に供給する。
【００４５】
表示制御部１０５は、所定の描画ソフトウェアを実行し、データＤ４に基づく所定の表示がなされるように動作する。表示制御部１０５が動作することにより、表示データＤ７が生成する。生成される表示データＤ７が表示部１０６に供給される。なお、表示制御部１０５の機能がコントローラ１０１に組み込まれていてもよい。
【００４６】
表示部１０６は、ＬＣＤ(Liquid Crystal Display)パネルや有機ＥＬ(Electroluminescence)パネルなどにより構成される。表示部１０６には、表示制御部１０５から供給される表示データＤ７に基づく表示がなされる。表示データＤ７に基づく表示の具体的な例については後述する。
【００４７】
蓄電部の一例である蓄電装置１０７は、蓄電コントローラ１０８と、複数の蓄電ユニット１０９を有する。蓄電装置１０７は、例えば、１６個の蓄電ユニット１０９（蓄電ユニット１０９ａ、蓄電ユニット１０９ｂ・・蓄電ユニット１０９ｐ）を有する。蓄電コントローラ１０８は、蓄電装置１０７の各部を制御する。コントローラ１０１から蓄電コントローラ１０８に対して、コントロール信号Ｓ２が供給される。コントロール信号Ｓ２は、例えば、蓄電装置１０７のオン／オフを切り替えるコントロール信号である。コントロール信号Ｓ２に応じて、蓄電コントローラ１０８が動作する。
【００４８】
蓄電コントローラ１０８は、降圧型のＤＣ−ＤＣコンバータを有し、電力Ｐ１から所定の電圧を生成する。所定の電圧は、蓄電ユニット１０９が対応する電圧である。蓄電コントローラ１０８は、生成した電圧を、例えば、残容量の少ない蓄電ユニット１０９に対して供給し、充電する。蓄電コントローラ１０８は、充電時における過充電の防止等の安全を確保する処理を行う。
【００４９】
蓄電コントローラ１０８は、降圧型のＤＣ−ＤＣコンバータを有し、電力Ｐ２から所定の電圧を生成する。所定の電圧は、蓄電ユニット１０９が対応する電圧である。蓄電コントローラ１０８は、生成した電圧を、例えば、残容量の少ない蓄電ユニット１０９に対して供給し、充電する。
【００５０】
蓄電コントローラ１０８は、例えば、昇圧型のＤＣ−ＤＣコンバータを有し、所定の蓄電ユニット１０９の電圧を適切な電圧に昇圧して、直流の電力Ｐ４として出力する。蓄電コントローラ１０８は、例えば、残容量の多い蓄電ユニット１０９を放電対象の蓄電ユニットとして設定し、その蓄電ユニットから放電がなされるように制御する。
【００５１】
蓄電コントローラ１０８は、各蓄電ユニットの残容量を監視し、残容量の合計を示す残容量データＤ５をコントローラ１０１に供給する。例えば、全ての蓄電ユニットの残容量が閾値を下回る場合は放電を停止し、放電を停止する旨を通知する通知信号Ｓ１をコントローラ１０１に供給する。
【００５２】
蓄電ユニット１０９は、リチウムイオン電池、オリビン型リン酸鉄リチウムイオン電池、鉛電池、ＮＡＳ電池などである。もちろん、これらの電池以外の電池や電気二重層キャパシタが使用されてもよい。
【００５３】
切替部１１０は、コントローラ１０１からの切替信号Ｓ７に応じて動作し、電力Ｐ３´または電力Ｐ４を選択する。切替部１１０により選択される電力がＤＣ／ＡＣインバータ１１２に出力される。
【００５４】
ＡＣ／ＤＣコンバータ１１１は、グリッド２０３から供給される交流の電力Ｐ３を直流の電力Ｐ３´に変換する。ＤＣ／ＡＣインバータ１１２は、切替部１１０から供給される電力を、例えば、１００Ｖの電圧に変換する。ＤＣ／ＡＣインバータ１１２からの出力が負荷に対して供給される。
【００５５】
なお、切替部１１０の動作に伴う瞬間的な電圧降下を防止するために、切替部１１０とＤＣ／ＡＣインバータ１１２の間に蓄電装置が設けられてもよい。蓄電装置として、二次電池や電気二重層コンデンサなどが例示される。
【００５６】
「表示制御装置の動作」
表示制御装置の動作の一例について説明する。コントローラ１０１は、蓄電ユニット１０９の残容量や消費電力に応じて、蓄電装置１０７から出力される電力と、グリッド２０３から供給される電力とを切り替えて、負荷に供給する。なお、負荷に供給する電力を切り替える制御は、特定の制御の方式に限定されるものではなく、公知の制御の方式を適用できる。
【００５７】
コントローラ１０１は、電力供給量データＤ１´と、電力供給量データＤ２´と、電力消費量データＤ３と、残容量データＤ５とを含むデータＤ４を、表示制御部１０５に対して供給する。表示制御部１０５は、データＤ４に基づく所定の表示がなされるように動作し、表示データＤ７を生成する。生成される表示データＤ７が表示部１０６に供給される。表示部１０６に、表示データＤ７に基づく表示がなされる。
【００５８】
「表示データに基づく表示例」
図２は、表示データＤ７に基づく表示１２０の一例を示す。表示１２０は、リアルタイムもしくは周期的に、表示の内容が変化し得るものである。表示１２０を表示する処理や表示内容をリアルタイムに変化させる処理は、表示制御部１０５の制御に応じて行われる。なお、表示１２０において、複数の表示がなされるもの（後述する表示単位やマーク１５０など）については、図示が煩雑になることを防止するため、複数の表示のうち一部の表示のみに参照符号を付している。さらに、以下の説明において上下左右等の方向を示す記述をするが、これらは、図面に向かう方向を基準にしている。なお、本開示の内容が例示される方向に限定されるものではない。
【００５９】
発電部に対応する第１のマークが表示される。発電部として、太陽光発電装置２０１と風力発電装置２０２を例にして説明しているので、太陽光発電装置２０１に対応する太陽光発電マーク１３０と、風力発電装置２０２に対応する風力発電マーク１３１とが表示される。
【００６０】
太陽光発電マーク１３０は、例えば、太陽光パネルのマーク１３０ａおよび数値が表示される表示領域１３０ｂを含む。表示領域１３０ｂには、電力供給量データＤ１´によって示される数値（例えば、４５２Ｗ）が表示される。すなわち、太陽光発電装置２０１から蓄電装置１０７に対する電力供給量が表示される。太陽光発電装置２０１の発電量は、天候に応じて刻々と変動するため、表示領域１３０ｂに表示される数値も変動する。
【００６１】
風力発電マーク１３１は、例えば、風車のマーク１３１ａおよび数値が表示される表示領域１３１ｂを含む。表示領域１３１ｂには、電力供給量データＤ２´によって示される数値が表示される。すなわち、風力発電装置２０２から蓄電装置１０７に対する電力供給量が表示される。風力発電装置２０２の発電量は、天候に応じて刻々と変動するため、表示領域１３１ｂに表示される数値も変動する。
【００６２】
蓄電装置１０７に対応する第２のマークが表示される。第２のマークの一例として、電池の形状をした電池マーク１３３が表示される。電池マーク１３３の内部には、電池マーク１３３の内部を、上下に移動する残容量表示１３３ａが表示される。残容量表示１３３ａの高さは、残容量データＤ５に基づいて適宜、決定される。残容量データＤ５が大きい場合は、残容量表示１３３ａの高さが高くなる。残容量データＤ５が小さい場合は、残容量表示１３３ａの高さが低くなる。残容量データＤ５の変動に応じて、残容量表示１３３ａの高さが変化する。残容量表示１３３ａは、例えば、緑色で着色されて表示される。
【００６３】
系統電力に対応する第３のマークが表示される。第３のマークの一例として、グリッドマーク１３４が表示される。グリッドマーク１３４は、例えば、コンセントの形状を模したマーク１３４ａおよび数値が表示される表示領域１３４ｂを含む。表示領域１３４ｂには、電力消費量データＤ３によって示される数値が表示される。なお、後述する接続路１３８に接続されるようにして、表示領域１３０ｂに表示される数値と、表示領域１３１ｂに表示される数値と、表示領域１３４ｂに表示される数値との合計値が表示領域１３２に表示される。
【００６４】
太陽光発電マーク１３０および風力発電マーク１３１のそれぞれと、電池マーク１３３との間の経路上には、種々の表示がなされる。経路上の表示は、例えば、接続路１３８と、接続路１３８を移動する複数の表示単位とを含む。接続路１３８は、例えば、太陽光発電マーク１３０の表示領域１３０ｂと、風力発電マーク１３１の表示領域１３１ｂと、電池マーク１３３とを接続するように表示されるものである。接続路１３８は、さらに、グリッドマーク１３４の表示領域１３４ｂを接続する。
【００６５】
接続路１３８を、複数の表示単位が移動する。例えば、太陽光発電装置２０１が発電する。太陽光発電装置２０１が発電することにともなって、表示領域１３０ｂの数値が変化するとともに、接続路１３８を、表示領域１３０ｂ付近から電池マーク１３３に向かって複数の表示単位１４０が移動する。電池マーク１３３に達した表示単位１４０は、消去される。複数の表示単位１４０に対して同一のハッチングが付されている。表示単位１４０は、例えば、矩形とされ、黄色で着色されて表示される。もちろん、表示単位１４０が、円形などの他の形状や、他の色で着色されて表示されてもよい。
【００６６】
太陽光発電装置２０１から蓄電装置１０７に対する電力供給量が大きくなるにつれて、表示領域１３０ｂの数値が上昇するとともに、表示単位１４０の移動の速度（移動速度）が大きくなる。太陽光発電装置２０１から蓄電装置１０７に対する電力供給量が小さくなるにつれて、表示領域１３０ｂの数値が下降するとともに、表示単位１４０の移動速度が小さくなる。１Ｗの電力供給量の変化に応じて表示単位１４０の移動速度を変更してもよく、電力供給量が閾値（例えば、１０Ｗ）以上、変化した場合に、表示単位１４０の移動速度を変更するようにしてもよい。太陽光発電装置２０１から蓄電装置１０７に対する電力供給量が大きくなるにつれて、太陽光パネルのマーク１３０ａの表示態様を変化させてもよい。例えば、電力供給量が０または閾値以下である場合は、マーク１３０ａの内部を黒色で表示する。マーク１３０ａの内部を白色で表示する領域を可変できるようにする。電力供給量が大きくなるにつれて、マーク１３０ａにおける白色で表示される領域が増加するようにしてもよい。あたかも、太陽光パネルに対して照射される太陽光が増加し、それにともなって電力供給量が大きくなる様子を提示できる。
【００６７】
風力発電に関して同様の表示がなされる。例えば、風力発電装置２０２が発電する。風力発電装置２０２が発電することにともなって、表示領域１３１ｂの数値が変化するとともに、接続路１３８を、表示領域１３１ｂ付近から電池マーク１３３に向かって複数の表示単位１４１が移動する。電池マーク１３３に達した表示単位１４１は、消去される。図２では、風力発電装置２０２の電力供給量が０Ｗであることから、表示単位１４１は表示されない。表示単位１４１は、例えば、矩形とされ、青色に着色されて表示される。もちろん、表示単位１４１が、円形などの他の形状や、他の色で着色されて表示されてもよい。
【００６８】
表示単位１４０および表示単位１４１を異なる色で表示することにより、表示単位１４０および表示単位１４１を区別可能に表示できる。表示単位１４０および表示単位１４１を異なる形状で表示することにより、表示単位１４０および表示単位１４１を区別可能に表示してもよい。表示単位１４０および表示単位１４１を、異なる色および異なる形状で表示することにより、表示単位１４０および表示単位１４１を区別可能に表示してもよい。表示単位１４０や表示単位１４１の移動速度をどのように変更するかは、描画ソフトウェア等により適宜、設定される。
【００６９】
風力発電装置２０２から蓄電装置１０７に対する電力供給量が大きくなるにつれて、表示領域１３１ｂの数値が上昇するとともに、表示単位１４１の移動速度が大きくなる。風力発電装置２０２から蓄電装置１０７に対する電力供給量が小さくなるにつれて、表示領域１３１ｂの数値が下降するとともに、表示単位１４１の移動速度が小さくなる。風力発電装置２０２から蓄電装置１０７に対する電力供給量が大きくなるにつれて、風車のマーク１３１ａの表示態様を変化させてもよい。例えば、電力供給量が０または閾値以下である場合は、マーク１３１ａは回転しない。電力供給量が大きくなるにつれて、マーク１３１ａが速く回転するように表示してもよい。あたかも、風量の増加にともなって風車が速く回転し、それにともなって電力供給量が大きくなる様子を提示できる。
【００７０】
区別可能に表示される表示単位が発電装置のマークから電池のマークに向けて移動するため、どの発電装置から電力が供給されているかを、利用者が容易に認識できる。さらに、表示単位が移動するため、数値のみでは示すことができない電力の流れを表示できる。さらに、一例として、表示単位の移動速度を変化させるため、電力供給量の変化を利用者が容易に認識できる。このように、表示上の取り決めを知らない利用者が表示１２０を見る場合でも、表示１２０の意味を容易に理解できる。
【００７１】
負荷に対する電力の供給路１４５が、電池マーク１３３から延在（延びるように存在する）するように表示される。負荷で電力が消費されることにともなって、表示単位１４６が表示される。複数の表示単位１４６が、電池マーク１３３から離れるように供給路１４５を移動する。負荷での消費電力（例えば、５８８Ｗ）を示す表示領域１４７が表示される。消費電力の変動に応じて、表示領域１４７に表示される数値が変化する。
【００７２】
表示部１０６の略中央に、時間軸ＴＡ１が表示される。時間軸ＴＡ１の上側に、発電部（例えば、太陽光発電装置２０１および風力発電装置２０２）から蓄電装置（例えば、蓄電装置１０７）に対する電力供給量を示す第４のマークが表示される。例えば、時間軸ＴＡ１の上側には、太陽光発電装置２０１から蓄電装置１０７に対する電力供給量を示すマーク１５０と、風力発電装置２０２から蓄電装置１０７に対する電力供給量を示すマーク１５１が表示される。個々のマーク１５０および個々のマーク１５１が第４のマークの一例とされる。すなわち、時間軸ＴＡ１の上側には、「環境を破壊しないエネルギー」、「自然エネルギー」、「無料のエネルギー」などによって定義可能なエネルギーが模式的に示される。
【００７３】
時間軸ＴＡ１の下側には、グリッド２０３から供給される電力の消費量を示す第５のマークが表示される。例えば、複数のマーク１５２が時間軸ＴＡ１の下側に表示される。すなわち、時間軸ＴＡ１の下側には、「環境の破壊をともなって得られるエネルギー」、「有料のエネルギー」などによって定義可能なエネルギーが模式的に示される。
【００７４】
マーク１５０は、例えば、表示単位１４０と同色の黄色で着色されて表示される。マーク１５１は、例えば、表示単位１４１と同色の青色で着色されて表示される。マーク１５２は、例えば、後述する表示単位１４２と同色の赤色で着色されて表示される。時間軸の上側の左端部付近には、電力供給量を積算した情報を示すマーク１５８が表示される。第６のマークの一例であるマーク１５８は、例えば、緑色で着色されて表示される。時間軸の下側の左端部付近には、電力消費量を積算した情報を示すマーク１５９が表示される。第７のマークの一例であるマーク１５９は、例えば、赤色で着色されて表示される。
【００７５】
図３を参照して、詳細に説明する。マーク１５０およびマーク１５１の高さ（時間軸ＴＡ１と略直交する方向の長さ）は、電力供給量を示す。例えば、１００Ｗ刻みの目盛りが表示されるようにしてもよい。目盛りの間隔は、動的に変化させることができる。例えば、風力発電装置２０２の電力供給量が急激に増加した場合は、１００Ｗ刻みの目盛りを２００Ｗ刻みの目盛りに変更することができる。マーク１５２の高さは、グリッド２０３から供給される電力の消費量を示す。なお、図３で図示される移動方向、電力供給量、電力消費量、現在、過去、履歴などの表示は、理解を容易にするためのものであり、実際に表示されるものではない。
【００７６】
表示制御部１０５には、コントローラ１０１から電力供給量データＤ１´が周期的（例えば、５分）に供給される。表示制御部１０５は、時間軸ＴＡ１上の１ピクセルの幅（時間軸ＴＡ１と平行方向の長さ）を５分に対応させ、あるタイミングで供給される電力供給量データＤ１´に基づいた表示を行う。マーク１５０をどのように表示するかは、表示制御部１０５により実行される描画プログラムに応じて異なる。
【００７７】
マーク１５０の表示方法の一例について説明する。太陽光発電装置２０１が発電する間は、太陽光発電マーク１３０からビーム状の表示１６１が表示される。ビーム状とは、ある点を始点として、所定方向に広がるような表示態様を含む意味である。太陽光発電マーク１３０もしくはその付近の箇所を始点として、時間軸ＴＡ１の右端部付近に向けてビーム状の表示１６１が表示される。
【００７８】
ビーム状の表示１６１の先端に、電力供給量データＤ１´に対応する高さとなるような表示が順次、表示される。太陽光発電装置２０１からの電力供給量が０または閾値以下になると、ビーム状の表示１６１が消去され、一定の領域を有するマーク１５０が表示される。マーク１５０は、例えば、５分ごとに１ピクセル分、時間軸ＴＡ１上を移動する。もちろん、表示スケールは５分に限られることなく適宜、設定可能である。表示スケールをユーザが設定できるようにしてもよい。
【００７９】
時間軸ＴＡ１のマーク１５８の近傍までマーク１５０が移動すると、マーク１５０がマーク１５８に吸収されるようにして消滅する。マーク１５０が消滅するとともに、マーク１５８の大きさが、マーク１５０の大きさに応じた割合で大きくなる。マーク１５１およびマーク１５２は、マーク１５０と同様にして表示される。
【００８０】
表示部１０６には、例えば、過去の一週間分の電力供給量等がマーク１５０等によって表示される。もちろん、表示部１０６の表示領域の大きさや、１ピクセルの幅に対応する時間を変更することで、この期間を適宜、変更できる。
【００８１】
ビーム状の表示１６１を表示し、電力供給量に応じた高さのマークを表示することにより、現在、どの発電部がどれほど発電しているかを、利用者が直感的に認識することができる。さらに、マーク１５０およびマーク１５１を、時間軸ＴＡ１上に沿うように移動して表示することにより、現在の電力供給量だけでなく、過去の電力供給量を利用者が知ることできる。さらに、電力供給量だけでなく、現在および過去の、グリッドからの電力の消費量を利用者が知ることができる。さらに、一定期間の電力供給量および当該一定期間のグリッドからの電力の消費量の積算を利用者が知ることができる。
【００８２】
図２に戻り説明する。電池マーク１３３付近に、時間軸ＴＡ２が表示される。時間軸ＴＡ２上に、複数のマーク１６３が表示される。マーク１６３は、残容量データＤ５により示される、蓄電装置１０７の残容量（例えば、１６個の蓄電ユニット１０９の残量の合計）を示す表示である。マーク１６３は、時間軸ＴＡ２上を、右から左に向かって移動する。なお、蓄電装置１０７の残容量に余裕があり、売電がなされたときは、売電した量を示すマークを時間軸ＴＡ２の下側に表示してもよい。売電のタイミングを示唆する表示がなされるようにしてもよい。電池マーク１３３からビーム状の表示がなされて、マーク１６３が表示されるようにしてもよい。
【００８３】
表示１２０の複数の例について、さらに、説明する。図４は、グリッド２０３から供給される電力Ｐ３が使用される場合の、表示１２０の表示例である。例えば、蓄電ユニット１０９の残容量が少なく、且つ、夜間で無風である場合には、グリッド２０３から供給される電力Ｐ３が使用される。なお、図４では、表示１２０の一部を拡大して示している。
【００８４】
太陽光発電装置２０１および風力発電装置２０２が発電しないことから、表示領域１３０ｂおよび表示領域１３１ｂに、０Ｗの数値が表示される。グリッド２０３から供給される電力Ｐ３が使用されることから、電力消費量データＤ３によって示される数値（例えば、５８８Ｗ）が表示領域１３４ｂに表示される。表示領域１３４ｂ付近から電池マーク１３３に向かって、表示単位１４２が接続路１３８を移動する。表示単位１４２は、例えば、矩形であり、マーク１５２と同様に赤色で着色されて表示される。電力消費量が大きくなるについて、表示単位１４２の移動速度が大きくなる。この例では、グリッド２０３からの供給される電力Ｐ３によって、蓄電ユニット１０９は充電されない。したがって、電池マーク１３３の残容量表示１３３ａは変化しない。
【００８５】
なお、負荷における消費電力が大きくなるについて、供給路１４５を移動する複数の表示単位１４６の移動速度が大きくなるようにしてもよい。表示単位１４６を、表示単位１４２と同じ形状かつ同じ色により表示してもよい。
【００８６】
グリッドマーク１３４から時間軸ＴＡ１の右端部付近に向かって、ビーム状の表示１６５が表示される。ビーム状の表示１６５の先端に、電力消費量に対応する高さのマークが順次、形成されている。電力の供給元がグリッド２０３から蓄電装置１０７に切り替わる場合は、電力消費量は０または閾値以下となる。この場合は、ビーム状の表示１６５が消去され、一定の表示領域を有するマーク１５２が表示される。
【００８７】
図５は、太陽光発電装置２０１および風力発電装置２０２が発電する場合の、表示１２０の表示例である。図５では、表示１２０の一部を拡大して表示している。太陽光発電装置２０１からの電力供給量を示す数値（例えば、４５２Ｗ）が表示領域１３０ｂに表示される。接続路１３８を、太陽光発電マーク１３０の表示領域１３０ｂ付近から電池マーク１３３に向かって、複数の表示単位１４０が移動する。太陽光発電装置２０１が発電することから、ビーム状の表示１６１が表示され、時間軸ＴＡ１上にマーク１５０が表示される。
【００８８】
風力発電装置２０２からの電力供給量を示す数値（例えば、６００Ｗ）が表示領域１３１ｂに表示される。接続路１３８を、風力発電マーク１３１の表示領域１３１ｂ付近から電池マーク１３３に向かって、複数の表示単位１４１が移動する。風力発電装置２０２が発電することから、ビーム状の表示１６６が表示され、時間軸ＴＡ１上にマーク１５１が表示される。
【００８９】
上述したように、表示単位１４０および表示単位１４１は、区別可能なように表示される。接続路１３８の途中から、表示単位１４０および表示単位１４１が並列して移動する。太陽光発電装置２０１の電力供給量が大きくなるについて、表示単位１４０の移動速度が大きくなる。太陽光発電装置２０１の電力供給量が小さくなるについて、表示単位１４０の移動速度が小さくなる。風力発電装置２０２の電力供給量が大きくなるについて、表示単位１４１の移動速度が大きくなる。風力発電装置２０２の電力供給量が小さくなるについて、表示単位１４１の移動速度が小さくなる。
【００９０】
表示単位１４０の移動速度および表示単位１４１の移動速度は、太陽光発電装置２０１からの電力供給量および風力発電装置２０２からの電力供給量に応じて、それぞれ設定できる。利用者は、表示単位の移動速度により、太陽光発電装置２０１および風力発電装置２０２のうち、どちらの発電装置の電力供給量が多いかを容易に理解できる。さらに、屋内で表示１２０を見た利用者は、表示１２０から屋外の天候（例えば、晴れもしくは曇り、風が強いもしくは弱い等）を推測できる。
【００９１】
電力供給量が電力消費量を上回る場合は、電池マーク１３３における残容量表示１３３ａの高さが上昇する。なお、実際には、太陽光発電装置２０１から供給される電力Ｐ１と、風力発電装置２０２から供給される電力Ｐ２とは、それぞれ異なる蓄電ユニット１０９に蓄電される。
【００９２】
図６は、表示１２０におけるマーク１５８およびマーク１５９の付近を拡大して示したものである。上述したように、マーク１５８は、所定期間における電力供給量を積算した情報に対応するものであり、例えば、緑色で表示される。マーク１５９は、所定期間における電力消費量を積算した情報に対応するものであり、例えば、赤色で表示される。所定期間は、例えば、過去一週間や、計測を開始してから現在まで、など、適宜、設定できる。所定期間をユーザが決定できるようにしてもよい。
【００９３】
マーク１５８の大きさと、マーク１５９の大きさにより、電力供給量の合計および電力消費量の合計の概要を利用者が知ることができる。図６に示すように、さらに、文字情報１６８ａおよび文字情報１６８ｂが表示されてもよい。文字情報１６８ａは、時間軸ＴＡ１の上側に表示され、文字情報１６８ｂは、時間軸ＴＡ１の下側に表示される。
【００９４】
文字情報１６８ａは、例えば、太陽光発電装置２０１および風力発電装置２０２の電力供給量の合計を示す数値と、全体（電力供給量とグリッドから供給される電力の消費量）における電力供給量の割合を示す数値とを含む。文字情報１６８ｂは、例えば、グリッド２０３から供給される電力の使用量を示す数値と、全体（電力供給量とグリッドから供給される電力の消費量）における、グリッド２０３から供給される電力の使用量の割合を示す数値とを含む。文字情報１６８ｂは、さらに、負荷において実際に使用された電力の消費量（供給元が蓄電装置１０７かグリッド２０３かは問わない）を示す数値を含む。
【００９５】
＜２．第２の実施形態＞
次に、第２の実施形態について説明する。第２の実施形態におけるシステムの構成や表示制御装置の構成などは、第１の実施形態に略同様であるので、異なる点を中心に説明する。
【００９６】
表示制御装置１００のコントローラ１０１は、コンセントに接続される電子機器を認識する機能を有する。例えば、電子機器が有する電源プラグに、電子機器の種別を示すＩＤ(Identification)が記憶される。電子機器の電源プラグがコンセントに対して接続されると、電源プラグに記憶されるＩＤが電力線に重畳されて、コントローラ１０１に送信される。コントローラ１０１は、送信されるＩＤに基づいて、電子機器を判別する。コントローラ１０１は、判別した電子機器に関する情報を表示制御部１０５に供給する。表示制御部１０５は、コントローラ１０１から供給される電子機器に関する情報に基づいた表示を行うことができる。
【００９７】
「表示データに基づく表示例」
図７は、第２の実施形態において、表示制御部１０５の制御により表示される表示１２１の一例を示す。表示１２１は、例えば、表示１２０に対して、負荷に関する表示が追加されたものである。電池マーク１３３から延在する供給路１４５が、コンセントの数に対応して分岐する。供給路１４５が、例えば、５本の供給路（供給路１４５ａ、供給路１４５ｂ、供給路１４５ｃ、供給路１４５ｄおよび供給路１４５ｅ）に分岐する。
【００９８】
各供給路の先端には、コンセントを模したマークが表示される。供給路１４５ａの先端には、コンセントを模したマーク１７０ａが表示される。供給路１４５ｂの先端には、コンセントを模したマーク１７０ｂが表示される。供給路１４５ｃの先端には、コンセントを模したマーク１７０ｃが表示される。供給路１４５ｄの先端には、コンセントを模したマーク１７０ｄが表示される。供給路１４５ｅの先端には、コンセントを模したマーク１７０ｅが表示される。
【００９９】
コンセントに電子機器の電源プラグが接続されると、コンセントのマークが電子機器（負荷）に対応するマーク（第８のマーク）に切り替わる。マーク１７０ａに対応するコンセントに例えば、エアコンが接続されると、図８に示すように、マーク１７０ａがエアコンに対応するマーク１７１ａに切り替わる。マーク１７０ｂに対応するコンセントに例えば、冷蔵庫が接続されると、コンセントのマーク１７０ｂが冷蔵庫に対応するマーク１７１ｂに切り替わる。
【０１００】
マーク１７０ｃに対応するコンセントに例えば、テレビジョン装置が接続されると、コンセントのマーク１７０ｃがテレビジョン装置に対応するマーク１７１ｃに切り替わる。マーク１７０ｄに対応するコンセントに例えば、パーソナルコンピュータが接続されると、コンセントのマーク１７０ｄがパーソナルコンピュータに対応するマーク１７１ｄに切り替わる。なお、コンセントのマーク１７０ｅに対応するコンセントには電子機器が接続されていないため、マーク１７０ｅは変化しない。
【０１０１】
電池マーク１３３から電子機器に対応するそれぞれのマークに向かうように、複数の表示単位１４６が移動する。電子機器における消費電力が大きいほど、表示単位１４６の移動速度が大きくなる。例えば、エアコンや冷蔵庫の消費電力は、テレビジョン装置やパーソナルコンピュータの消費電力よりも大きい。このため、マーク１７１ａおよびマーク１７１ｂに向かう表示単位１４６の移動速度が、マーク１７１ｃおよびマーク１７１ｄに向かう表示単位１４６の移動速度より大きくされる。それぞれの電子機器のマークへ向かう表示単位の色や形状が区別可能に表示されてもよい。
【０１０２】
表示単位の移動速度を一定にし、電子機器における消費電力が大きいほど、電子機器のマークに向かって移動する表示単位１４６の表示数が大きくなるようにしてもよい。すなわち、表示単位の間隔を小さくし、表示単位を密に表示するようにしてもよい。図８に例示する表示内容が表示１２１として、表示部１０６に表示されてもよい。
【０１０３】
＜３．第３の実施形態＞
次に、第３の実施形態について説明する。第３の実施形態は、表示１２０や表示１２１を、携帯端末３００において表示する例である。
【０１０４】
「携帯端末の構成」
図９は、携帯端末３００の構成の一例を示す。携帯端末３００は、例えば、制御部３０１、表示制御部３０２、表示部３０３ａ、通信部３０４、オーディオ処理部３０５、アンプ３０６、スピーカ３０７およびメモリ３０８を含む構成とされる。表示部３０３ａは、表示部３０３ａに対して操作が可能なタッチパネル３０３ｂとして構成される。なお、図９では、コントロール信号やデータの流れを実線の矢印により示している。
【０１０５】
制御部３０１は、例えば、ＣＰＵからなり、携帯端末３００の各部を制御する。表示制御部３０２は、表示制御装置１００における表示制御部１０５と略同一の機能を有する。すなわち、表示制御部３０２は、所定の描画ソフトウェアを実行し、通信部３０４により受信されるデータＤ６に基づく所定の表示がなされるように動作する。表示制御部３０２が動作することにより、表示データＤ８が生成される。表示データＤ８が表示部３０３ａに供給され、表示データＤ８に基づく表示がなされる、例えば、上述した表示１２０や表示１２１が表示部３０３ａに表示される。
【０１０６】
表示部３０３ａは、ＬＣＤパネルや有機ＥＬパネルなどからなる。表示部３０３ａには、表示１２０や表示１２１が表示される。表示部３０３ａは、例えば、静電容量方式のタッチパネル３０３ｂとして構成される。もちろん、抵抗膜方式や光学方式等のタッチパネルでもよい。
【０１０７】
通信部３０４は、他の装置（例えば、表示制御装置１００）と通信を行う。例えば、通信部３０４を介して、携帯端末３００から表示制御装置１００に要求信号Ｓ６が送信される。要求信号Ｓ６に応じて、データＤ６が表示制御装置１００から送信され、データＤ６が通信部３０４により受信される。通信部３０４は、データＤ６を表示制御部３０２に供給する。
【０１０８】
通信部３０４を介して、所定のウェブサイトから、所定の処理を実行させるためのアプリケーション（プログラム）をダウンロードすることが可能とされる。例えば、表示部３０３ａに、後述する表示１２３を表示させるためのアプリケーションがダウンロードされるようにしてもよい。
【０１０９】
携帯端末３００は、オーディオデータを再生する機能を有する。オーディオ処理部３０５は、オーディオ処理部３０５に入力されるオーディオデータに対して、種々の信号処理を行う。例えば、メモリ３０８に記憶されるオーディオデータがオーディオ処理部３０５に入力される。オーディオ処理部３０５は、オーディオデータに対して、例えば、ＦＦＴ処理、デジタルフィルタリング処理、デインタリーブ処理、デコード処理、レベルコントロール処理、これらの処理が施されたデジタル信号をアナログ信号へと変換するＤＡＣ(Digital to Analog Converter)処理などを行う。
【０１１０】
アンプ３０６は、オーディオ処理部３０５から供給されるオーディオデータを所定の増幅率でもって増幅する。アンプ３０６は、デジタルアンプにより構成されてもよい。アンプ３０６によって増幅されるオーディオデータがスピーカ３０７から再生される。
【０１１１】
メモリ３０８は、例えば、不揮発性のメモリからなり、メモリ３０８に、種々のプログラムやデータが記憶される。例えば、メモリ３０８に、制御部３０１や表示制御部３０２が実行するプログラムが格納される。メモリ３０８が、処理が実行される際のワークメモリとして使用されてもよい。通信部３０４を介してダウンロードされたアプリケーションがメモリ３０８に記憶されるようにしてもよい。メモリ３０８が、携帯端末３００に対して着脱自在とされるメモリでもよい。メモリ３０８にオーディオデータや静止画のデータが記憶されるようにしてもよい。
【０１１２】
なお、上述した携帯端末３００の構成は一例であり、これに限定されるものではない。例えば、携帯端末３００が撮像機能等を有する構成としてもよい。
【０１１３】
「携帯端末の動作」
携帯端末３００の動作の一例と、それに対応する表示制御装置１００の動作の一例を説明する。例えば、タッチパネル３０３ｂに対する操作がなされ、表示１２０の表示を要求する操作がなされる。この操作に伴う操作信号が、タッチパネル３０３ｂから制御部３０１に供給される。操作信号に応じて、制御部３０１は要求信号Ｓ６を生成する。要求信号Ｓ６が通信部３０４を介して表示制御装置１００のコントローラ１０１に送信される。要求信号Ｓ６は、例えば、近距離無線による通信やインターネットを介した通信により、コントローラ１０１に送信される。
【０１１４】
コントローラ１０１は、要求信号Ｓ６に応じてデータＤ６を携帯端末３００に送信する。データＤ６は、例えば、データＤ４と同様のデータであり、電力供給量データＤ１´と、電力供給量データＤ２´と、電力消費量データＤ３と、残容量データＤ５とを含む。データＤ６が周期的に携帯端末３００に向けて送信される。
【０１１５】
データＤ６が通信部３０４により受信される。受信されるデータＤ６が、通信部３０４から表示制御部３０２に供給される。表示制御部３０２は、データＤ６に基づく表示がなされるように動作し、表示データＤ８を生成する。表示データＤ８に基づく表示が表示部３０３ａに表示される。
【０１１６】
図１０に例示するように、表示部３０３ａには、表示データＤ８に基づく表示１２３が表示される。表示１２３は、例えば、表示１２０と同一の表示内容とされる。表示１２３は、表示１２０の表示内容のうち、一部の表示内容が簡略化もしくは削除されたものであってもよい。例えば、表示１２３は、表示１２０のうち、マーク１５８およびマーク１５９が削除されたものでもよい。表示部３０３ａの表示領域に応じて、表示１２３に表示される内容を適宜、設定できる。
【０１１７】
携帯端末３００の表示部３０３ａに表示１２３を表示させることにより、例えば、利用者が屋外にいながら、自宅や会社における電力供給量の変化や、グリッド２０３から供給される電力の消費量の変化を知ることができる。
【０１１８】
＜４．変形例＞
以上、本開示の一実施形態について説明したが、本開示は、上述した実施形態に限られることなく、種々の変形が可能である。
【０１１９】
例えば、図１１に示すように、電池マーク１３３を経由しないルートを表示してもよい。表示単位１４２が当該ルートを移動し、直接、負荷側に向かうようにしてもよい。なお、表示領域１３２は、電池マーク１３３に向かうルートに対して接続されるようにして表示される。この場合は、表示領域１３０ｂに表示される数値と、表示領域１３１ｂに表示される数値との合計値が表示領域１３２に表示される。
【０１２０】
表示単位が一列に整列して移動するようにしてもよい。図１２に示すように、例えば、表示単位１４０と表示単位１４１とが一列に整列して移動するようにしてもよい。電池マーク１３３に近づくにつれて、残容量表示１３３ａと同色の緑色になるように、表示単位１４０および表示単位１４１の色を変化させてもよい。
【０１２１】
図１３に示すように、マーク１５０やマーク１５１の大きさに応じて、天候を示すマークが表示されるようにしてもよい。例えば、所定の高さ以上のマーク１５０の上に晴れのマーク１８０を表示してもよい。当該所定の高さより小さい高さのマーク１５０の上に曇りのマーク１８１を表示してもよい。曇りのマーク１８１は、雨のマークでもよい。所定の高さ以上のマーク１５１の上に台風を模した渦巻きのマーク１８２を表示してもよい。当該所定の高さより小さい高さのマーク１５１の上に、風を模したマーク１８３を表示してもよい。
【０１２２】
表示１２０の表示内容を一部、変更してもよい。例えば、図１４に示すように、太陽光発電マーク１３０から延在する表示１８５を表示する。さらに、風力発電マーク１３１から延在する表示１８６を表示する。表示１８５は、上下方向の幅１８５ａを有する。表示１８６は、上下方向の幅１８６ａを有する。
【０１２３】
電力供給量に応じて、各表示の幅を変化させる。太陽光発電装置２０１から供給される電力供給量が大きくなる場合に、幅１８５ａの長さが大きくなるように表示する。太陽光発電装置２０１から供給される電力供給量が小さくなる場合に、幅１８５ａの長さが小さくなるように表示する。風力発電装置２０２から供給される電力供給量が大きくなる場合に、幅１８６ａの長さが大きくなるように表示する。風力発電装置２０２から供給される電力供給量が小さくなる場合に、幅１８６ａの長さが小さくなるように表示する。電力供給量の変化を幅の長さの変化によって提示できる。
【０１２４】
さらに、グリッドマーク１３４から延在する表示１８７を表示してもよい。表示１８７は、上下方向の幅１８７ａを有する。グリッド２０３から供給される電力の消費量に応じて、表示１８７の幅１８７ａを変化させる。電力消費量が大きい場合に、幅１８７ａの長さが大きくなるように表示する。電力消費量が小さい場合に、幅１８７ａの長さが小さくなるように表示する。電力消費量の変化を幅の長さの変化によって提示できる。
【０１２５】
例示した表示１２０の表示内容が全て表示されなくてもよい。例えば、図１５に示すように、表示１２０のうち、時間軸ＴＡ２および残容量の変化を示すマーク１６３が表示されなくてもよい。すなわち、表示１２０における一部の表示を行う装置として本開示を実現してもよい。表示１２０におけるマークの配置箇所を変更してもよい。例えば、表示１２０における左側に太陽光発電マーク１３０や電池マーク１３３を表示し、時間軸ＴＡ１上をマーク１５０等が左側から右側に移動するように表示してもよい。
【０１２６】
表示データＤ７を記憶してもよい。例えば、１カ月前の表示データＤ７を記憶し、１カ月前の表示１２０を表示させることができるようにしてもよい。過去の表示１２０を表示する際には、早送りなどの操作が可能とされてもよい。過去の表示データＤ７から将来を予測した表示がなされるようにしてもよい。
【０１２７】
電池マーク１３３における残容量表示１３３ａの色を、電力の供給元に応じて変更してもよい。例えば、蓄電ユニット１０９における残容量のうち、７０％が太陽光発電装置２０１から供給された電力により充電されたものであり、３０％が風力発電装置２０２から供給された電力により充電されたものであるとする。このような場合に、残容量表示１３３ａの略７０％を黄色で表示し、残容量表示１３３ａの略３０％を青色で表示してもよい。蓄電ユニット１０９が使用される場合は、残容量表示１３３ａにおける黄色または青色で表示される領域を、均等に減少させるようにしてもよい。
【０１２８】
さらに、本開示は、装置に限らず、方法、プログラム、プログラムが記録された記録媒体として実現することができる。
【０１２９】
なお、実施形態および変形例における構成および処理は、技術的な矛盾が生じない範囲で適宜組み合わせることができる。例示した処理の流れにおけるそれぞれの処理の順序は、技術的な矛盾が生じない範囲で適宜、変更できる。実施形態および変形例における数値や材料は、一例であり適宜、変更できる。
【０１３０】
本開示は、例示した処理が複数の装置によって分散されて処理される、いわゆるクラウドシステムに対して適用することもできる。例示した処理が実行されるシステムであって、例示した処理の少なくとも一部の処理が実行される装置として、本開示を実現することができる。
【０１３１】
本開示は、以下の構成をとることもできる。
（１）
発電部の発電量に基づく電力供給量を取得する制御部と、
前記発電部に対応する第１のマークと、蓄電部に対応する第２のマークとを表示部に表示し、前記電力供給量に応じて、前記第１のマークと前記第２のマークとの間の経路上の表示を変化させる表示制御部と
を有する表示制御装置。
（２）
前記経路上の表示は、前記第１のマークから前記第２のマークに向かうように移動する表示単位を含み、
前記表示制御部は、前記電力供給量が大きくなるにつれて、前記表示単位の移動速度が大きくなるように表示する（１）に記載の表示制御装置。
（３）
前記表示制御部は、
複数の発電部のそれぞれに対応する複数の第１のマークを表示し、
それぞれの前記第１のマークから前記第２のマークに向かうように移動する表示単位を区別可能に表示する（２）に記載の表示制御装置。
（４）
前記表示制御部は、前記表示単位の色および形状のうち、少なくとも一方を変更することにより、前記表示単位を区別可能に表示する（３）に記載の表示制御装置。
（５）
前記経路上の表示は、前記第１のマークから延在し、幅を有する表示を含み、
前記表示制御部は、前記電力供給量が大きくなるにつれて、前記表示の幅が大きくなるように表示する（１）に記載の表示制御装置。
（６）
前記表示制御部は、前記電力供給量に応じて前記第１のマークの表示態様を変化させる（１）乃至（５）のいずれかに記載の表示制御装置。
（７）
前記発電部は、周囲に存在するエネルギーに基づいて発電する（１）乃至（６）のいずれかに記載の表示制御装置。
（８）
前記表示制御部は、系統電力に対応する第３のマークを前記表示部に表示する（１）乃至（７）のいずれかに記載の表示制御装置。
（９）
前記制御部は、前記系統電力から供給される電力の消費量を示す電力消費量を取得し、
前記表示制御部は、前記電力消費量に応じて、前記第２のマークと前記第３のマークとの間の経路上の表示を変化させる（８）に記載の表示制御装置。
（１０）
前記表示制御部は、前記電力供給量を示す第４のマークと前記電力消費量を示す第５のマークとを区別可能に、前記表示部に表示する（９）に記載の表示制御装置。
（１１）
前記表示制御部は、
前記第４のマークおよび前記第５のマークを、時間軸の上下にそれぞれ表示し、
前記第４のマークおよび前記第５のマークが、時間の経過にともなって前記時間軸上を移動するように表示する（１０）に記載の表示制御装置。
（１２）
前記表示制御部は、所定期間における前記電力供給量を積算した情報を示す第６のマークと、該所定期間における前記電力消費量を積算した情報を示す第７のマークとを、前記時間軸の端部に表示する（１１）に記載の表示制御装置。
（１３）
前記表示制御部は、
前記時間軸上を移動する前記第４のマークが前記第６のマークに吸収されるように表示し、
前記時間軸上を移動する前記第５のマークが前記第７のマークに吸収されるように表示する（１２）に記載の表示制御装置。
（１４）
前記表示制御部は、
前記第１のマークから時間軸の端部付近に向けてビーム状の表示を行うことにより前記第４のマークを形成し、
前記第３のマークから時間軸の端部付近に向けてビーム状の表示を行うことにより前記第５のマークを形成する（１０）乃至（１３）のいずれかに記載の表示制御装置。
（１５）
前記表示制御部は、
負荷に対応する第８のマークを表示し、
該負荷の消費電力に応じて、前記第２のマークと前記第８のマークとの間の経路上の表示を変化させる（１）に記載の表示制御装置。
（１６）
発電部の発電量に基づく電力供給量を取得し、
前記発電部に対応する第１のマークと、蓄電部に対応する第２のマークとを表示部に表示し、前記制御部から供給される電力供給量に応じて、前記第１のマークと前記第２のマークとの間の経路上の表示を変化させる
表示制御装置における表示制御方法。
（１７）
発電部の発電量に基づく電力供給量を取得し、
前記発電部に対応する第１のマークと、蓄電部に対応する第２のマークとを表示部に表示し、前記制御部から供給される電力供給量に応じて、前記第１のマークと前記第２のマークとの間の経路上の表示を変化させる
表示制御装置における表示制御方法を、コンピュータに実行させるプログラム。
（１８）
発電部の発電量に基づく電力供給量を取得する取得部と、
前記発電部に対応する第１のマークと、蓄電部に対応する第２のマークとを表示部に表示し、前記取得される電力供給量に応じて、前記第１のマークと前記第２のマークとの間の経路上の表示を変化させる表示制御部と
を有する携帯端末。
【符号の説明】
【０１３２】
１・・・システム
１００・・・表示制御装置
２０１・・・太陽光発電装置
２０２・・・風力発電装置
２０３・・・グリッド
１０１・・・コントローラ
１０５・・・表示制御部
１０６・・・表示部
１０７・・・蓄電装置
１３０・・・太陽光発電マーク
１３１・・・風力発電マーク
１３３・・・電池マーク
１３４・・・グリッドマーク
１４０、１４１、１４２、１４６・・・表示単位
１５０、１５１、１５８、１５９・・・マーク
ＴＡ１・・・時間軸
１６１・・・ビーム状の表示
１７１ａ・・・エアコンを示すマーク
１７１ｂ・・・冷蔵庫を示すマーク
１７１ｃ・・・テレビジョン装置を示すマーク
１７１ｄ・・・パーソナルコンピュータを示すマーク
１８５、１８６、１８７・・・幅を有する表示
３００・・・携帯端末
３０２・・・表示制御部
３０３ａ・・・表示部
【図１】
0005891931.tif 000002
【図２】
0005891931.tif 000003
【図３】
0005891931.tif 000004
【図４】
0005891931.tif 000005
【図５】
0005891931.tif 000006
【図６】
0005891931.tif 000007
【図７】
0005891931.tif 000008
【図８】
0005891931.tif 000009
【図９】
0005891931.tif 000010
【図１０】
0005891931.tif 000011
【図１１】
0005891931.tif 000012
【図１２】
0005891931.tif 000013
【図１３】
0005891931.tif 000014
【図１４】
0005891931.tif 000015
【図１５】
0005891931.tif 000016